(57)【要約】【課題】太陽電池パネルが設置された屋根に設置位置及び個数の自由度高く雪止めを設けることができる雪止め構造を提供する。【解決手段】雪止め構造の雪止め具１を、屋根上に隣接している太陽電池パネルＳの内、軒側の太陽電池パネルの棟側の端辺を保持している第一枠体４０ａ、及び、棟側の太陽電池パネルの軒側の端辺を保持している第二枠体４０ｂが、それぞれの下方に空隙が形成されるように屋根面に固定されており、第一枠体と第二枠体の上面部４１に当接している上側当接片１０、第一枠体と第二枠体の底面部４３に当接している下側当接片２０、第一枠体及び第二枠体の間で、下側当接片から上方へ延び上側当接片を貫通していると共に、雌ネジとの螺合により上側当接片と下側当接片とを締結している雄ネジ部材３０、及び、上側当接片から上方に延出している雪止め部１６、を具備する構成とする。【選択図】図２
2015209740.tif 000002
【特許請求の範囲】
【請求項１】
太陽電池パネルが設置された屋根上に雪止め具が取り付けられている雪止め構造であって、
屋根上に隣接して配されている太陽電池パネルの内、軒側に配されている太陽電池パネルの棟側の端辺を保持している第一枠体、及び、棟側に配されている太陽電池パネルの軒側の端辺を保持している第二枠体が、それぞれの底面部の下方に空隙が形成されるように屋根面に固定されており、
前記雪止め具は、
前記第一枠体の上面部に当接している第一上当接部を一端側に、他端側に前記第二枠体の上面部に当接している第二上当接部を有していると共に、前記第一上当接部及び前記第二上当接部を連結している上連結部を有している上側当接片と、
前記第一枠体の底面部に当接している第一下当接部を一端側に、他端側に前記第二枠体の底面部に当接している第二下当接部を有していると共に、前記第一下当接部及び前記第二下当接部を連結している下連結部を有している下側当接片と、
前記第一枠体及び第二枠体の間で、前記下側当接片から上方へ延び前記上側当接片を貫通していると共に、外周面に形成された雄ネジを雌ネジと螺合させていることにより、前記上側当接片と前記下側当接片とを締結している雄ネジ部材と、
前記上側当接片から、前記第一枠体及び前記第二枠体の上面部より上方まで延出している雪止め部と、を具備する
ことを特徴とする雪止め構造。
【請求項２】
前記雪止め具の前記下側当接片は、前記第一下当接部から前記第二下当接部に向かう方向に延びている一対の側辺間の最大長さが、前記第一枠体及び前記第二枠体の間隔より短い
ことを特徴とする請求項１に記載の雪止め構造。
【請求項３】
前記雪止め具の前記上連結部は、前記第一上当接部から下方に延出し前記第一枠体の側面部に当接している第一側面当接部、前記第二上当接部から下方に延出し前記第二枠体の側面部に当接している第二側面当接部、及び、前記第一側面当接部と前記第二側面当接部とを連結している連結中間部を有する
ことを特徴とする請求項１または請求項２に記載の雪止め構造。
【請求項４】
請求項１乃至請求項３の何れか一つに記載の雪止め構造に使用される雪止め具であって、
前記第一枠体の上面部に当接させる第一上当接部を一端側に、他端側に前記第二枠体の上面部に当接させる第二上当接部を有していると共に、前記第一上当接部及び前記第二上当接部を連結している上連結部を有している上側当接片と、
前記第一枠体の底面部に当接させる第一下当接部を一端側に、他端側に前記第二枠体の底面部に当接させる第二下当接部を有していると共に、前記第一下当接部及び前記第二下当接部を連結している下連結部を有している下側当接片と、
外周面に雄ネジが形成された長棒状で、前記雄ネジを雌ネジと螺合させることにより、前記上側当接片と前記下側当接片とを締結する雄ネジ部材と、
前記上側当接片から上方に延出している雪止め部と、
を具備することを特徴とする雪止め具。
【発明の詳細な説明】
【技術分野】
【０００１】
本発明は、太陽電池パネルが設置された屋根の雪止め構造、及び、該雪止め構造に使用される雪止め具に関するものである。
【背景技術】
【０００２】
屋根上に積もった雪が屋根面を滑り落ち、軒先から落下することを抑止するために、降雪のある地方では傾斜した屋根に雪止めのための構造を設けるのが一般的である。太陽電池パネルが設置された屋根においてもその要請があり、太陽電池パネルの外周縁を保持する枠体に、雪止めを一体に形成したものが存在する。しかしながら、枠体に雪止めが一体に形成されていると、雪止めが破損したときに枠体全体を取り換える必要がある。また、雪止めを有する枠体と、雪止めの必要がない屋根に設置される太陽電池パネル用の枠体とを、別個に作製する必要がある。
【０００３】
一方、太陽電池パネルを屋根に固定するための部材を介して、雪止めを設けることが提案されている（特許文献１参照）。特許文献１の技術では、屋根上に間隔を開けて平行に並設される長尺の桟材（レール）に、隣接して配される太陽電池パネルの枠体を載置し、二つの枠体間に配した支持部材によって枠体を桟材に固定している。そして、支持部材には、枠体間で支持部材を被覆するカバーが取り付けられており、このカバーと一体に雪止めが設けられている。これにより、雪止めの必要のない屋根に太陽電池パネルを設置する場合と、共通の枠体を使用できる利点がある。
【０００４】
しかしながら、特許文献１の技術では、雪止めが支持部材を介して桟材に取り付けられているため、雪止めの設置位置が支持部材上に限定されてしまう上に、雪止めの数も支持部材の数に制限されてしまう。雪の滑落のしやすさは、積雪量、屋根の傾斜の大きさ、屋根の流れ方向の長さ、屋根が向いている方向など、種々の条件によって相違する。また、隣家の敷地や公共の道路に面した屋根など、雪の滑落を防止する重要度の高い屋根と、それほどではない屋根とがある。そのため、太陽電池パネルが設置される屋根に雪止めを設けることができ、且つ、雪止めの設置位置や設置個数の自由度が高い技術が要請されていた。
【先行技術文献】
【特許文献】
【０００５】
【特許文献１】特許第３７７６６３１号公報
【発明の概要】
【発明が解決しようとする課題】
【０００６】
そこで、本発明は、上記の実情に鑑み、太陽電池パネルが設置された屋根に設置位置や設置個数の自由度高く雪止め具を設けることができる雪止め構造、及び、該雪止め構造に使用される雪止め具の提供を、課題とするものである。
【課題を解決するための手段】
【０００７】
上記の課題を解決するため、本発明にかかる雪止め構造は、
「太陽電池パネルが設置された屋根上に雪止め具が取り付けられている雪止め構造であって、
屋根上に隣接して配されている太陽電池パネルの内、軒側に配されている太陽電池パネルの棟側の端辺を保持している第一枠体、及び、棟側に配されている太陽電池パネルの軒側の端辺を保持している第二枠体が、それぞれの底面部の下方に空隙が形成されるように屋根面に固定されており、
前記雪止め具は、
前記第一枠体の上面部に当接している第一上当接部を一端側に、他端側に前記第二枠体の上面部に当接している第二上当接部を有していると共に、前記第一上当接部及び前記第二上当接部を連結している上連結部を有している上側当接片と、
前記第一枠体の底面部に当接している第一下当接部を一端側に、他端側に前記第二枠体の底面部に当接している第二下当接部を有していると共に、前記第一下当接部及び前記第二下当接部を連結している下連結部を有している下側当接片と、
前記第一枠体及び第二枠体の間で、前記下側当接片から上方へ延び前記上側当接片を貫通していると共に、外周面に形成された雄ネジを雌ネジと螺合させていることにより、前記上側当接片と前記下側当接片とを締結している雄ネジ部材と、
前記上側当接片から、前記第一枠体及び前記第二枠体の上面部より上方まで延出している雪止め部と、を具備する」ものである。
【０００８】
「上側当接片」としては、第一上当接部と第二上当接部とが、これらと高さの異なる部分を有する上連結部で連結されている構成、一枚の平板からなり、その一端側が第一上当接部、他端側が第二上当接部であり、その間が上連結部である構成、第一上当接部と第二上当接部とが、これらと高さの等しい上連結部で連結されており、第一上当接部と上連結部との境界から第一枠体の側面部に当接する部分が下方に突出し、第二上当接部と上連結部との境界から第二枠体の側面部に当接する部分が下方に突出している構成、を例示することできる。
【０００９】
「下側当接片」としては、一枚の平板からなり、その一端側が第一下当接部、他端側が第二下当接部であり、その間が下連結部である構成、第一下当接部と第二下当接部とが、これらと高さの異なる部分を有する下連結部で連結されている構成、第一下当接部と第二下当接部とが、これらと高さの等しい下連結部で連結されており、第一下当接部と下連結部との境界から第一枠体の側面部に当接する部分が上方に突出し、第二下当接部と下連結部との境界から第二枠体の側面部に当接する部分が上方に突出している構成、を例示することできる。
【００１０】
「前記下側当接片から上方へ延びている雄ネジ部材」としては、下側当接片が貫通孔を有しており、この貫通孔より大径の頭部から延出した雄ネジ部材が下方から挿通されている構成、雄ネジ部材の下端部が下側当接片に固着されている構成、を例示することができる。
【００１１】
また、「雄ネジ部材」が、「外周面に形成された雄ネジを雌ネジと螺合させていることにより、前記上側当接片と前記下側当接片とを締結している」構成としては、上側当接片に設けられた孔を貫通している雄ネジ部材の雄ネジに、上側当接片の上からナットの雌ネジが螺合していることにより上側当接片と下側当接片を締結している構成、上側当接片が一枚の平板からなる場合に、上側当接片の貫通孔の内周に雌ネジが設けられており、雄ネジ部材の雄ネジがこれに螺合していることにより、上側当接片と下側当接片を締結している構成、上側当接片に貫通孔が形成されており、ナットの雌ネジ孔が貫通孔と連通するようにナットが上側当接片に固着されており、雄ネジ部材の雄ネジがこれに螺合していることにより上側当接片と下側当接片を締結している構成、を例示することができる。
【００１２】
「雪止め部」は、第一上当接部、第二上当接部、或いは、これらを同じ高さで連結している上連結部から上方に延出している構成とすることができる。この場合、雪止め部は、当然に第一枠体及び第二枠体の上面部より上方まで延出する構成である。また、「雪止め部」は、第一上当接部と第二上当接部とを、これらと異なる高さで連結している部分を有する上連結部から上方に延出している構成とすることもできる。この場合、雪止め部が、上連結部において第一上当接部や第二上当接部より高さの低い部分から延出するものであっても、雪止め部は第一枠体及び第二枠体の上面部より上方まで延出している。
【００１３】
本構成の雪止め構造は、例えば、以下のようにして構築することができる。まず、雪止め具の下側当接片を、下側当接片から上方へ延びている雄ネジ部材を把持して、第一下当接部が第一枠体の底面部の下方に位置し、第二下当接部が第二枠体の底面部の下方に位置するように、第一枠体と第二枠体との間に位置させる。このとき、第一枠体及び第二枠体の間隔より下側当接片の幅（第一下当接部から第二下当接部に向かう方向に延びる一対の側辺間の距離）が短い場合は、所望の取り付け位置で、上方から第一枠体及び第二枠体の間に下側当接片を挿入してから雄ネジ部材の軸心周りに回転させ、第一下当接部及び第二下当接部をそれぞれ第一枠体及び第二枠体の底面部の下方に位置させる。或いは、第一下当接部及び第二下当接部がそれぞれ第一枠体及び第二枠体の底面部より低く位置する状態で、下側当接片から延びている雄ネジ部材を、第一枠体及び第二枠体それぞれの端部の外方から、第一枠体及び第二枠体の間に挿入し、所望の取り付け位置までスライドさせてもよい。そして、第一下当接部及び第二下当接部をそれぞれ第一枠体及び第二枠体の底面部に当接させたのち、雄ネジ部材に上側当接片を下方から貫通させると共に、上側当接片の第一上当接部及び第二上当接部をそれぞれ第一枠体及び第二枠体の上面部に当接させる。そして、雄ネジ部材の雄ネジに雌ネジを螺合させることにより、上側当接片と下側当接片とを締結する。これにより、雪止め具が第一枠体及び第二枠体に固定された雪止め構造を、構築することができる。
【００１４】
上記のように構築された雪止め構造では、雪止め部が太陽電池パネルを保持する第一枠体及び第二枠体の上面部よりも上方まで延出しているため、この雪止め部によって、太陽電池パネル上の積雪の滑落を抑止することができる。
【００１５】
本構成の雪止め構造では、雄ネジ部材によって締結された上側当接片と下側当接片とで、第一枠体及び第二枠体を上下から挟持することにより、第一枠体及び第二枠体に雪止め具が保持されている。従って、上記の従来技術とは異なり、太陽電池パネルを屋根上に設置するために第一枠体及び第二枠体を屋根面に固定するための部材とは無関係に、雪止め具が設置された雪止め構造を構築することできる。これにより、太陽電池パネルが設置される地域の降雪量、屋根の傾斜、屋根の長さ、屋根が向いている方向、雪の滑落を防止する重要度など、種々の条件に応じて、高い自由度で雪止め具の設置位置や設置個数を設定することができる。
【００１６】
また、本構成の雪止め構造における雪止め具は、別体である上側当接片と下側当接片とを雄ネジ部材で締結することにより、第一枠体及び第二枠体に保持されるものである。従って、高さの異なる種々の枠体に雪止め具を取り付けて、雪止め構造を構築することができる。
【００１７】
更に、上側当接片と下側当接片とが雄ネジ部材によって締結されることによる固定であるため、第一枠体及び第二枠体に対する雪止め具の固定が強固である。従って、本構成の雪止め構造は、積雪の荷重に対する耐性に優れている。
【００１８】
加えて、雪止め具は、別体である上側当接片と下側当接片とを雄ネジ部材によって一体化する構成であり、下側当接片は、上述のように、上方から挿入し二つの枠体間を通過させることにより、或いは、枠体の底面部より低く位置させた状態で、枠体の端部の外方から枠体間に挿入してスライドさせることにより、所望の取り付け位置で枠体の底面部より低く位置させることができる。これにより、本構成の雪止め構造は、二つの枠体を屋根に固定した後であっても、雪止め具を枠体に取り付けることができる利点を有している。
【００１９】
また、上側当接片と下側当接片とを雄ネジ部材によって締結するのみで第一枠体及び第二枠体に取り付けることができる本構成の雪止め具は、極めて構成が簡易であり、ビスや釘等を用いなければ雪止め具を枠体に固定できない場合に比べて、極めて容易に雪止め構造を構築することができる。
【００２０】
本発明にかかる雪止め構造は、上記構成に加えて、「前記雪止め具の前記下側当接片は、前記第一下当接部から前記第二下当接部に向かう方向に延びている一対の側辺間の最大長さが、前記第一枠体及び前記第二枠体の間隔より短い」ものとすることができる。
【００２１】
本構成では、雪止め具を取り付ける際、所望の取り付け位置で、第一枠体及び第二枠体の間に上方から下側当接片を挿入することができる。そのため、下側当接片を枠体の底面部より低く位置させた状態で、第一枠体及び第二枠体それぞれの端部の外方から雄ネジ部材を挿入し、枠体間をスライドさせる場合よりも操作が容易である。また、第一枠体及び第二枠体が固定部材によって屋根面に固定されている場合に、固定部材と固定部材との間の位置であっても、雪止め具を第一枠体及び第二枠体に取り付けることができる。
【００２２】
本発明にかかる雪止め構造は、上記構成に加えて、「前記雪止め具の前記上連結部は、前記第一上当接部から下方に延出し前記第一枠体の側面部に当接している第一側面当接部、前記第二上当接部から下方に延出し前記第二枠体の側面部に当接している第二側面当接部、及び、前記第一側面当接部と前記第二側面当接部とを連結している連結中間部を有する」ものとすることができる。
【００２３】
本構成では、上側当接片が、第一枠体及び第二枠体それぞれの上面部に当接している第一上当接部及び第二上当接部に加えて、第一枠体及び第二枠体それぞれの側面部に当接している第一側面当接部及び第二側面当接部を有している。つまり、上側当接片は二つの枠体に上方から当接していると共に、二つの枠体間で内方から枠体の側面部に当接している。これにより、雪止め部に外力が加わっても、上側当接片が雄ネジ部材の軸周りに回転することがなく、ひいては雪止め具の全体が雄ネジ部材の軸周りに回転しないため、第一枠体及び第二枠体に取り付けられた雪止め具の姿勢が安定した雪止め構造を、構築することができる。
【００２４】
次に、本発明にかかる雪止め具は、
「上記に記載の雪止め構造に使用される雪止め具であって、
前記第一枠体の上面部に当接させる第一上当接部を一端側に、他端側に前記第二枠体の上面部に当接させる第二上当接部を有していると共に、前記第一上当接部及び前記第二上当接部を連結している上連結部を有している上側当接片と、
前記第一枠体の底面部に当接させる第一下当接部を一端側に、他端側に前記第二枠体の底面部に当接させる第二下当接部を有していると共に、前記第一下当接部及び前記第二下当接部を連結している下連結部を有している下側当接片と、
外周面に雄ネジが形成された長棒状で、前記雄ネジを雌ネジと螺合させることにより、前記上側当接片と前記下側当接片とを締結する雄ネジ部材と、
前記上側当接片から上方に延出している雪止め部と、
を具備する」ものである。
【００２５】
これは、上記の雪止め構造に使用される雪止め具である。本構成の雪止め具は、雪止め部を有する上側当接片、下側当接片、これらを締結する雄ネジ部材という極めて簡易な構成でありながら、第一枠体及び第二枠体に強固に固定することができる。更に、雄ネジ部材による締結を解除することにより、第一枠体及び第二枠体から容易に取り外すことができるため、雪止め具の設置位置や設置個数の変更、及び交換が容易である。
【発明の効果】
【００２６】
以上のように、本発明の効果として、太陽電池パネルが設置された屋根に設置位置や設置個数の自由度高く雪止め具を設けることができる雪止め構造、及び、該雪止め構造に使用される雪止め具を、提供することができる。
【図面の簡単な説明】
【００２７】
【図１】図１（ａ）は本発明の第一実施形態である雪止め具の分解斜視図であり、図１（ｂ）は図１（ａ）とは異なる角度からみた分解斜視図である。
【図２】図２（ａ），（ｂ）は図１の雪止め具の太陽電池パネルの枠体への取り付けを説明する図であり、図２（ｃ）は図１の雪止め具が枠体に取り付けられた状態を示す断面図である。
【図３】図３（ａ）は本発明の第二実施形態である雪止め具における下側当接片の斜視図であり、図３（ｂ）は第二実施形態の雪止め具が太陽電池パネルの枠体に取り付けられた状態を示す断面図である。
【図４】図４（ａ）は本発明の第三実施形態である雪止め具における下側当接片の斜視図であり、図４（ｂ）は第三実施形態の雪止め具が太陽電池パネルの枠体に取り付けられた状態を示す断面図であり、図４（ｃ）は図４（ａ）の下側当接片の平面図である。
【図５】図５（ａ）〜図５（ｃ）は図４（ａ）の下側当接片の枠体への取り付けを説明する図である。
【図６】図６は、太陽電池パネルを枠体及び固定部材を介して桟材に固定した状態を例示する断面図である。
【発明を実施するための形態】
【００２８】
以下、本発明の第一実施形態である雪止め具１、及び、雪止め具１を使用した雪止め構造について、図１及び図２を用いて説明する。
【００２９】
雪止め具１は、第一枠体４０ａの上面部４１に当接させる第一上当接部１１を一端側に、他端側に第二枠体４０ｂの上面部４１に当接させる第二上当接部１２を有していると共に、第一上当接部１１及び第二上当接部１２を連結している上連結部を有している上側当接片１０と、第一枠体４０ａの底面部４３に当接させる第一下当接部２１を一端側に、他端側に第二枠体４０ｂの底面部４３に当接させる第二下当接部２２を有していると共に、第一下当接部２１及び第二下当接部２２を連結している下連結部２３を有している下側当接片２０と、外周面に雄ネジが形成された長棒状で、雄ネジを雌ネジと螺合させることにより、上側当接片１０と下側当接片２０とを締結する雄ネジ部材３０と、上側当接片１０から上方に延出している雪止め部１６と、を具備している。
【００３０】
また、雪止め具１の上側当接片１０において上連結部は、第一上当接部１１から下方に延出している第一側面当接部１４、第二上当接部１２から下方に延出している第二側面当接部１５、及び、第一側面当接部１４と第二側面当接部１５とを連結している連結中間部１３を有している。
【００３１】
より詳細に説明すると、上側当接片１０において、第一上当接部１１は細長い平板状であり、長辺の一方から下方に向かって直角に第一側面当接部１４が延出している。第一側面当接部１４の下端辺からは、第一当接部１１とは反対側に向かって直角に平板状の連結中間部１３が延出しており、その端辺から上方に向かって直角に第二側面当接部１５が、第一側面当接部１４と同じ高さまで延出している。第二側面当接部１５の上端辺からは、連結中間部１３とは反対側に向かって直角に平板状の第二上当接部１２が延出している。つまり、上側当接片１０は、全体として、両端（第一上当接部１１及び第二上当接部１２）に対して上連結部（第一側面当接部１４、連結中間部１３、及び第二側面当接部１５）が凹となった形状である。そして、雪止め部１６は、第一側面当接部１４の上端、すなわち第一側面当接部１４と第一上当接部１１との境界から上方に向かって平板状に延出している。そして、上側当接片１０の中心（連結中間部１３の中心）には、円形の貫通孔１７が設けられている。
【００３２】
なお、上側当接片１０は、金属によって一体に形成されている。例えば、アルミニウム等の金属の押出し成形によって形成された、軸方向に直交する断面が単一形状の長尺材を、所望の長さに切断することにより、このような一体形状の上側当接片１０を製造することができる。
【００３３】
雪止め具１の下側当接片２０は、一枚の金属製の平板で長方形に形成されており、その一端側が第一下当接部２１、その他端側が第二下当接部２２であり、第一下当接部２１と第二下当接部２２とを下連結部２３が同じ高さで（同一面上で）連結している。また、第一下当接部２１から第二下当接部２２に向かう方向の下側当接片２０の長さ、すなわち、長方形の下側当接片２０における一対の長辺の長さは第一枠体４０ａ及び第二枠体４０ｂの間隔（以下、「枠体間距離」と称する）より長く、これに直交する方向の下側当接片２０の長さ、すなわち、長方形の下側当接片２０における一対の短辺の長さは、枠体間距離より短く設定されている。また、下連結部２３には、その中心に円形の貫通孔２７が設けられている。
【００３４】
また、雪止め具１の雄ネジ部材３０の一端には、下側当接片２０の貫通孔２７よりも大径の頭部３４が固着されている。雄ネジ部材３０の外径は、下側当接片２０の貫通孔２７、及び、上側当接片１０の貫通孔１７よりも小径である。また、雄ネジ部材３０としては、第一枠体４０ａ及び第二枠体４０ｂの高さ（側面部４２の高さ）よりも十分に長いものを使用する。また、雪止め具１は、雄ネジ部材３０の雄ネジに螺合する雌ネジを有するナット３３を有している。
【００３５】
次に、雪止め具１を第一枠体４０ａ及び第二枠体４０ｂに取り付けることにより、本実施形態の雪止め構造を構築する方法について、図２を用いて説明する。
【００３６】
ここで、雪止め具１が取り付けられる第一枠体４０ａ及び第二枠体４０ｂは、同一の構成であり、雪止め具１との位置関係においてのみ区別されるものである。より具体的には、第一枠体４０ａ及び第二枠体４０ｂはそれぞれ、上下に延びている平板状の側面部４２と、側面部４２の上端から直角に延出している上面部４１と、側面部４２の下端から上面部４１と同一の方向に延出している底面部４３と、上面部４１より下方で上面部４１と同一の方向に側面部４２から延出しており、上面部４１との間で太陽電池パネルＳの端辺を保持する下保持部４４と、側面部４２と平行に延び下保持部４４と底面部４３とを連結している内壁部４５とを備えている。なお、第一枠体４０ａ及び第二枠体４０ｂはそれぞれ、軸方向に直交する断面が単一形状の長尺材であり、例えば、金属の押出し成形によって形成することができる。
【００３７】
雪止め構造の構築に際しては、まず、それぞれ上面部４１と下保持部４４との間に太陽電池パネルＳを保持した第一枠体４０ａ及び第二枠体４０ｂを、底面部４３の下方に空隙が形成される状態で屋根面に固定する。
【００３８】
次に、雪止め具１を取り付ける。まず、雄ネジ部材３０を、下側当接片２０の貫通孔２７に下方から挿通する。このとき、雄ネジ部材３０に平ワッシャ３１ａを通しておく。頭部３４が下側当接片２の下方に位置し、雄ネジ部材３０の先端側が下側当接片２０から上方に延び出した状態で、下側当接片２０から上方に延びている部分の雄ネジ部材３０を把持して、下側当接片２０を、所望の取り付け位置における第一枠体４０ａ及び第二枠体４０ｂの間の上方に位置させる。このとき、下側当接片２０の短辺の方向を、第一枠体４０ａから第二枠体４０ｂに向かう方向とする（図２（ａ）参照）。
【００３９】
雄ネジ部材３０をその位置から下降させ、下側当接片２０を第一枠体４０ａの側面部４２と第二枠体４０ｂの側面部４２との間に挿入し、第一枠体４０ａ及び第二枠体４０ｂそれぞれの底面部４３よりも下方に位置させる。その状態で、雄ネジ部材３０をその軸心周りに９０度回転させることにより、第一下当接部２１を第一枠体４０ａの底面部４３の下方に、第二下当接部２２を第二枠体の底面部４３の下方に位置させる。その後、雄ネジ部材３０を引き上げて第一下当接部２１を第一枠体４０ａの底面部４３に当接させると共に、第二下当接部２２を第二枠体の底面部４３に当接させる（図２（ｂ）参照）。
【００４０】
そして、雄ネジ部材３０に上方から上側当接片１０を近付け、貫通孔１７に雄ネジ部材３０を挿通する。更に、上側当接片１０の第一上当接部１１を第一枠体４０ａの上面部４１に、第二上当接部１２を第二枠体４０ｂの上面部４１に当接させると共に、第一側面当接部１４を第一枠体４０ａの側面部４２に、第二側面当接部１５を第二枠体４０ｂの側面部４２に当接させる。そして、上側当接片１０の貫通孔１７を貫通して上側当接片１０より上方に延び出している雄ネジ部材３０の雄ネジに、ナット３３の雌ネジを螺合させる。このとき、平ワッシャ３１ｂ及びスプリングワッシャ３２を通した上で、ナット３３を留め付ける。そして、雄ネジ部材３０にナット３３をしっかりと締め付けることにより、上側当接片１０と下側当接片２０を締結させる（図２（ｃ）参照）。
【００４１】
このように、第一枠体４０ａ及び第二枠体４０ｂを上下から挟持するように、上側当接片１０と下側当接片２０が雄ネジ部材３０によって締結されることにより、雪止め具１が第一枠体４０ａ及び第二枠体４０ｂに固定され、本実施形態の雪止め構造が構築される。
【００４２】
すなわち、本実施形態の雪止め構造は、太陽電池パネルが設置される屋根上に雪止め具１が取り付けられている雪止め構造であって、屋根上に隣接して配されている太陽電池パネルＳの内、軒側に配されている太陽電池パネルＳの棟側の端辺を保持している第一枠体４０ａ、及び、棟側に配されている太陽電池パネルＳの軒側の端辺を保持している第二枠体４０ｂが、それぞれの底面部４３の下方に空隙が形成されるように屋根面に固定されており、雪止め具１は、第一枠体４０ａの上面部４１に当接している第一上当接部１１を一端側に、他端側に第二枠体４０ｂの上面部４１に当接している第二上当接部１２を有していると共に、第一上当接部１１及び第二上当接部１２を連結している上連結部を有している上側当接片１０と、第一枠体４０ａの底面部４３に当接している第一下当接部２１を一端側に、他端側に第二枠体４０ｂの底面部４３に当接している第二下当接部２２を有していると共に、第一下当接部２１及び第二下当接部２２を連結している下連結部２３を有している下側当接片２０と、第一枠体４０ａ及び第二枠体４０ｂの間で、下側当接片２０から上方へ延び上側当接片１０を貫通していると共に、外周面に形成された雄ネジを雌ネジと螺合させていることにより、上側当接片１０と下側当接片２０とを締結している雄ネジ部材３０と、上側当接片１０から、第一枠体４０ａ及び第二枠体４０ｂの上面部４１より上方まで延出している雪止め部１６と、を具備している。
【００４３】
ここで、第一枠体４０ａ及び第二枠体４０ｂを、それぞれ底面部４３の下方に空隙が形成されるように屋根面に固定するには、例えば、屋根面に屋根の流れ方向に平行に長尺の桟材６０を複数並設し、図６に示すように、固定部材５０を介して第一枠体４０ａ及び第二枠体４０ｂを桟材６０に取り付ける。
【００４４】
固定部材５０について、具体的に説明する。固定部材５０は、スペーサ部材５１と押圧部材５２とを具備している。スペーサ部材５１は、桟材６０の上面に載置される一対の脚板部５１ａと、一対の脚板部５１ａの上端を連結している天板部５１ｂとを有している。押圧部材５２は、第一枠体４０ａ及び第二枠体４０ｂの上面部４１にそれぞれ当接する細長い平板状の一対の押圧部５２ａと、一対の押圧部５２ａそれぞれの内側の端部から下方へ直角に延出している一対の立板部５２ｂと、一対の立板部５２ｂを連結している平板状の基板部５２ｃとを有している。また、スペーサ部材５１における天板部５１ｂと、押圧部材５２における基板部５２ｃの中心には、ボルト５４を貫通させる貫通孔５１ｄ，５２ｄがそれぞれ設けられている。
【００４５】
このような構成の固定部材５０で第一枠体４０ａ及び第二枠体４０ｂを固定する桟材としては、角形の鋼管で、軸方向に延びるスリット６０ｓが上面に設けられている桟材６０を使用することができる。そして、スリット６０ｓの幅よりも大径の頭部５４ａと、スリット６０ｓの幅よりも小径の雄ネジ部５４ｂを有するボルト５４を倒立させて、スリット６０ｓの端部から挿入し、頭部５４ａがスリット６０ｓの内部に位置し、雄ネジ部５４ｂが桟材６０の上面から上方に延び出している状態とする。この状態のボルト５４を第一枠体４０ａ及び第二枠体４０ｂを固定部材５０で固定する所望の位置まで、スリット６０ｓに沿ってスライドさせる。
【００４６】
次に、スペーサ部材５１を一対の脚板部５１ａが下方を向いた状態として、天板部５１ｂの貫通孔５１ｃにボルト５４の雄ネジ部５４ｂを下方から挿通し、一対の脚板部５１ａが隔離する方向を桟材６０の軸方向に一致させて、桟材６０の上面に載置する。天板部５１ｂより上方に延び出している雄ネジ部５４ｂにナット５５ａを留め付け、スペーサ部材５１を桟材６０に固定する。この状態において、ボルト５４の雄ネジ部５４ｂはナット５５ａから更に上方まで延び出している。
【００４７】
桟材６０に固定されたスペーサ部材５１の一対の脚板部５１ａのうち、軒側に位置する脚板部５１ａの外側に第一枠体４０ａの側面部４２が当接するように、太陽電池パネルＳを保持している第一枠体４０ａを桟材６０の上面に載置する。また、棟側に位置する脚板部５１ａの外側に、第二枠体４０ｂの側面部４２が当接するように、太陽電池パネルＳを保持している第二枠体４０ｂを桟材６０の上面に載置する。次に、基板部５２ｃを下方に向けた押圧部材５２の貫通孔５２ｄに、ナット５５ａより上方に延び出している雄ネジ部５４ｂを下方から挿通する。そして、押圧部材５２の一対の押圧部５２ａの一方を第一枠体４０ａの上面部４１に当接させ、一対の立板部５２ｂの一方を第一枠体４０ａの側面部４２に当接させると共に、押圧部５２ａの他方を第二枠体４０ｂの上面部４１に当接させ、立板部５２ｂの他方を第二枠体４０ｂの側面部４２に当接させる。
【００４８】
この状態で、押圧部材５２より上方に延び出している雄ネジ部５４ｂにナット５５ｂを留め付ける。これにより、第一枠体４０ａ及び第二枠体４０ｂは押圧部材５２によって上方から押圧されるように桟材６０に固定され、桟材６０と桟材６０の間では、第一枠体４０ａ及び第二枠体４０ｂの底面部４３は桟材６０の高さ分だけ、屋根面より高く位置し、下方に空隙が形成される。
【００４９】
なお、予めナット５５ａ，５５ｂを雄ネジ部５４ｂに螺合させ、ボルト５４でスペーサ部材５１と押圧部材５２とを仮留めした状態で、ボルト５４を桟材６０のスリット６０ｓに挿入しても良い。
【００５０】
上記のように、本実施形態の雪止め構造によれば、雪止め部１６が、太陽電池パネルＳを保持する第一枠体４０ａ及び第二枠体４０ｂの上面部４１より上方まで延出しているため、この雪止め部１６によって、太陽電池パネルＳ上の積雪の滑落を抑止することができる。
【００５１】
そして、本実施形態の雪止め構造では、雄ネジ部材３０によって締結された上側当接片１０と下側当接片２０とが、第一枠体４０ａ及び第二枠体４０ｂを上下から挟持することにより、第一枠体４０ａ及び第二枠体４０ｂに雪止め具１が保持されている。従って、太陽電池パネルＳを屋根上に設置するために第一枠体４０ａ及び第二枠体４０ｂを屋根面に固定するための部材とは無関係に、高い自由度で雪止め具１の設置位置や設置個数を設定することができる。
【００５２】
また、雪止め具１は、別体である上側当接片１０と下側当接片２０とを雄ネジ部材３０によって一体化する構成であるため、二つの枠体を屋根に固定した後であっても、所望の位置に雪止め具１を設置することができる。
【００５３】
更に、雪止め具１の下側当接片２０は長方形であり、その短辺が枠体間距離よりも短い。従って、雪止め具１を設置する際、所望の取り付け位置で、第一枠体４０ａ及び第二枠体４０ｂの間に上方から下側当接片２０を挿入することができるため、設置の作業が容易であると共に、第一枠体４０ａ及び第二枠体４０ｂを桟材６０に固定する固定部材５０と固定部材５０との間であっても、雪止め具１を設置することができる。
【００５４】
また、雪止め具１では、雄ネジ部材３０で締結される上側当接片１０及び下側当接片２０の距離が、雄ネジ部材３０の長さの範囲内で可変であるため、雪止め具１の取り付け対象となる第一枠体４０ａ及び第二枠体４０ｂの高さの自由度が高い利点を有している。なお、取り付け対象の第一枠体４０ａ及び第二枠体４０ｂの高さに応じて、雄ネジ部材３０の長さを設定することができる。
【００５５】
また、雪止め具１は、上側当接片１０と下側当接片２０とを雄ネジ部材３０によって締結するのみで第一枠体４０ａ及び第二枠体４０ｂに取り付けることができるため、極めて構成が簡易であり、ビスや釘等を用いなければ雪止め具を枠体に固定できない場合に比べて、極めて容易に雪止め構造を構築することができる。
【００５６】
加えて、上側当接片１０と下側当接片２０とが雄ネジ部材３０によって締結されることにより、雪止め具１は第一枠体４０ａ及び第二枠体４０ｂに強固に固定されるため、積雪の荷重に対する耐性に優れた雪止め構造を構築することができる。
【００５７】
そして、雪止め具１は、雄ネジ部材３０による締結を解除することにより、第一枠体４０ａ及び第二枠体４０ｂから容易に取り外すことができるため、設置位置や設置個数の変更、及び交換が容易である。
【００５８】
更に、上側当接片１０が第一枠体４０ａ及び第二枠体４０ｂの側面部４２にそれぞれ当接する第一側面当接部１４及び第二側面当接部１５を有しているため、雪止め部１６に外力が加わった場合であっても、上側当接片１０が第一枠体４０ａ及び第二枠体４０ｂに対してずれることがなく、雪止め具１の姿勢が安定している。
【００５９】
次に、第二実施形態の雪止め具２について、図３を用いて説明する。第二実施形態の雪止め具２が第一実施形態の雪止め具１と相違する点は、下側当接片の形状である。雪止め具２の下側当接片２０ｂは、第一下当接部２１と下連結部２３との境界から上方に延出し第一枠体４０ａの側面部４２に当接する第一突出部２４と、第二下当接部２２と下連結部２３との境界から上方に延出し第二枠体４０ｂの側面部４２に当接する第二突出部２５とを有している。また、下側当接片２０ｂの中央に穿設された貫通孔２７ｂは、第一下当接部２１から第二下当接部２２に向かう方向に延びている一対の側辺に平行な一対の辺、及びこれと直交する一対の辺を内周辺とする四角形の孔である。そして、雄ネジ部材３０ｂは、頭部３４ｂに接続される基部に、断面の外形が四角形で貫通孔２７ｂの内周の四角形より僅かに小さい大きさである角柱状の根角部３０ｃを有している。
【００６０】
このような構成の雪止め具２は、雪止め具１と同様に第一枠体４０ａ及び第二枠体４０ｂに取り付けることができ、これにより上記の雪止め構造と同様の雪止め構造が構築されて、同様の作用効果を得ることができる。加えて、雪止め具２を使用して構築された雪止め構造では、第一枠体４０ａの側面部４２に第一突出部２４が当接していると共に、第二枠体４０ｂの側面部４２に第二突出部２５が当接しているため、第一下当接部２１及び第二下当接部２２を、それぞれ第一枠体４０ａ及び第二枠体４０ｂの底面部４３に当接させた状態で雄ネジ部材３０ｂを回転させようとしても、下側当接片２０ｂは回転しない。これにより、下側当接片２０ｂを第一枠体４０ａ及び第二枠体４０ｂそれぞれの底面部４３に当接させてから、雄ネジ部材３０ｂによって下側当接片２０ｂを上当接片２０と締結する作業が容易である。また、下側当接片２０ｂが、第一下当接部２１及び第二下当接部２２によって第一枠体４０ａ及び第二枠体４０ｂの底面部４３に下方から当接しているだけではなく、第一突出部２４及び第二突出部２５によって第一枠体４０ａ及び第二枠体４０ｂの側面部４２に枠体間の内方から当接しているため、雪止め具２が第一枠体４０ａ及び第二枠体４０ｂに固定された姿勢を、より安定させることができる。
【００６１】
加えて、下側当接片２０ｂの貫通孔２７ｂが四角形であり、雄ネジ部材３０ｂの根角部３０ｃは貫通孔２７ｂに嵌入するため、雄ネジ部材３０ｂを貫通孔２７ｂに挿通した状態では、下側当接片２０ｂは雄ネジ部材３０ｂと一体的に回転する。これにより、雄ネジ部材３０ｂを把持して下側当接片２０ｂを第一枠体４０ａ及び第二枠体４０ｂの間隙に挿入できる向きに回転させる操作、及び下側当接片２０ｂを第一枠体４０ａ及び第二枠体４０ｂの間隙において底面部４３より低い位置まで挿入した後、下側当接片２０ｂを第一枠体４０ａ及び第二枠体４０ｂそれぞれの底面部４３に当接させるために雄ネジ部材３０ｂによって下側当接片２０ｂを回転させる操作において、雄ネジ部材３０ｂが下側当接片２０ｂに対して空回りすることがなく操作が容易である。
【００６２】
次に、第三実施形態の雪止め具３について、図４及び図５を用いて説明する。第三実施形態の雪止め具３が第一実施形態の雪止め具１と相違する点は、下側当接片の形状である。雪止め具３の下側当接片２０ｃは、第一下当接部２１と第二下当接部２２とが、これらと高さの異なる部分を有する下連結部で連結されている構成である。より具体的には、図４（ａ），（ｂ）に示すように、下連結部は、第一下当接部２１及び第二下当接部２２より高い位置にある連結中間部２３ｃ、連結中間部２３ｃから第一下当接部２１に向かって傾斜し第一下当接部２１と連結されている第一傾斜壁２４ｃ、及び連結中間部２３ｃから第二下当接部２２に向かって傾斜し第二下当接部２２と連結されている第二傾斜壁２５ｃを有している。
【００６３】
図４（ｃ）に示すように、下側当接片２０の平面視の外形は平行四辺形であり、第一下当接部２１と第一傾斜壁２４ｃとの境界線２８ａ及び第二下当接部２２と第二傾斜壁２５ｃとの境界線２８ｂ、並びに第一傾斜壁２４ｃと連結中間部２３ｃとの境界線２８ｃ及び第二傾斜壁２５ｃと連結中間部２３ｃとの境界線２８ｄは平行である。そして、下側当接片２０の中心（連結中間部２３ｃの中心）には四角形の貫通孔２７ｃが設けられており、その内周辺は、四つの平行な境界線２８ａ，２８ｂ，２８ｃ，２８ｄと平行な一対の辺、及びこれと直交する一対の辺からなる。この貫通孔２７ｃには、第二実施形態の雪止め具２と同様に、根角部３０ｃを有する雄ネジ部材３０ｂが挿通される。
【００６４】
また、平面視において第一下当接部２１から第二下当接部２２に向かう方向に延びる一対の側辺２９ａ，２９ｂ間の距離（図示、Ｌ１）、及び、境界線２８ａと境界線２８ｂとの距離（図示、Ｌ２）は、何れも枠体間距離より僅かに短く（例えば、−２％〜−５％）設定されている。加えて、平面視において、一対の側辺２９ａ，２９ｂと境界線２８ｃとの２つの交点のうち貫通孔２７ｃの中心点Ｐとの距離が短い方である、側辺２９ａとの交点Ｐ１と中心点Ｐとの距離（図示、Ｒ１）、及び一対の側辺２９ａ，２９ｂと境界線２８ｄとの２つの交点のうち中心点Ｐとの距離が短い方である、側辺２９ｂとの交点Ｐ２と中心点Ｐとの距離（図示、Ｒ１）は、枠体間距離の１／２より僅かに短く（例えば、−０．３％〜−１％）設定されている。また、同じく平面視において、一対の側辺２９ａ，２９ｂと境界線２８ａとの２つの交点のうち中心点Ｐとの距離が短い方である、側辺２９ａとの交点Ｐ３と中心点Ｐとの距離（図示、Ｒ２）、及び一対の側辺２９ａ，２９ｂと境界線２８ｂとの２つの交点のうち中心点Ｐとの距離が短い方である、側辺２９ｂとの交点Ｐ４と中心点Ｐとの距離（図示、Ｒ２）は、枠体間距離の１／２より僅かに長く（例えば、＋８％〜＋１２％）設定されている。
【００６５】
このような構成の雪止め具３の第一枠体４０ａ及び第二枠体４０ｂへの取り付けを、図５を用いて説明する。まず、貫通孔２７ｃに挿通した雄ネジ部材３０ｂを把持し、下側当接片２０ｃにおける一対の側辺２９ａ，２９ｂを第一枠体４０ａ及び第二枠体４０ｂそれぞれの側面部４２と平行にした状態で、下側当接片２０ｃを第一枠体４０ａ及び第二枠体４０ｂの間隙に上方から挿入する（図５（ａ）参照）。第一下当接部２１及び第二下当接部２２が第一枠体４０ａ及び第二枠体４０ｂそれぞれの底面部４３より低く、連結中間部２３ｃが底面部４３より高くなるように下側当接片２０ｃを位置させ、その状態で、交点Ｐ１，Ｐ３が第一枠体４０ａ及び第二枠体４０ｂのうち近接している方の枠体（図示では第一枠体４０ａ）に、より近づく方向に雄ネジ部材３０ｂを回転させることにより、その軸周りに下側当接片２０ｃを回転させる。上記のように距離Ｒ１は枠体間距離の１／２より短く、距離Ｒ２は枠体間距離の１／２より長いため、第一傾斜壁２４ｃにおける側辺２９ａ、及び第二傾斜壁２５ｃにおける側辺２９ｂが、それぞれ第一枠体４０ａ及び第二枠体４０ｂの側面部４２の下辺に当接する（図５（ｂ）参照）。
【００６６】
この状態で、更に同方向に回転させる力を雄ネジ部材３０ｂ加えると、第一傾斜壁２４ｃにおける側辺２９ａ及び第二傾斜壁２５ｃにおける側辺２９ｂの傾斜に案内されて、第一下当接部２１が第一枠体４０ａの底面部４３の下方に潜り込むと共に、第二下当接部２２が第二枠体４０ｂの底面部４３の下方に潜り込むように下側当接片２０ｃが回転する。その状態で雄ネジ部材３０ｂを介して下側当接片２０ｃを引き上げることにより、第一下当接部２１を第一枠体４０ａの底面部４３に当接させると共に、第二下当接部２２を第二枠体４０ｂの底面部４３に当接させることができるため（図５（ｃ）参照）、雄ネジ部材３０ｂによって下側当接片２０を上側当接片１０と締結することにより、雪止め具３を第一枠体４０ａ及び第二枠体４０ｂに取り付けることができる。
【００６７】
このように雪止め具３によれば、第一傾斜壁２４ｃにおける側辺２９ａ及び第二傾斜壁２５ｃにおける側辺２９ｂの傾斜の案内作用により、雪止め具３を第一枠体４０ａ及び第二枠体４０ｂに容易に取り付けることができる。そして、雪止め具３を第一枠体４０ａ及び第二枠体４０ｂに取り付けることにより、上記の雪止め構造と同様の雪止め構造を構築することができ、同様の作用効果を得ることができる。
【００６８】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００６９】
例えば、雪止め具２として下連結部２３が第一下当接部２１及び第二下当接部２２と同じ高さ（同一面上）であり、第一突出部２４及び第二突出部２５は下連結部２３の構成ではない場合を示したが、これに限定されず、下連結部を、第一突出部２４、第二突出部２５、及び第一突出部２４の上端及び第二突出部２５の上端を連結している連結中間部を有する構成とすることができる。
【符号の説明】
【００７０】
１，２，３  雪止め具
１０  上側当接片
１１  第一上当接部
１２  第二上当接部
１３  連結中間部（上連結部）
１４  第一側面当接部（上連結部）
１５  第二側面当接部（上連結部）
１６  雪止め部
２０，２０ｂ，２０ｃ  下側当接片
２１  第一下当接部
２２  第二下当接部
２３  下連結部
２３ｃ  連結中間部（下連結部）
２４ｃ  第一傾斜壁（下連結部）
２５ｃ  第二傾斜壁（下連結部）
３０，３０ｂ  雄ネジ部材
４０ａ  第一枠体
４０ｂ  第二枠体
Ｓ  太陽電池パネル
【図１】
2015209740.tif 000003
【図２】
2015209740.tif 000004
【図３】
2015209740.tif 000005
【図４】
2015209740.tif 000006
【図５】
2015209740.tif 000007
【図６】
2015209740.tif 000008